(57)【要約】      （修正有）【課題】企業のサイトにおける販促キャンペーンの販促効果を高める。【解決手段】サーバ装置ＳＶＤのＣＰＵ１２は、自装置ＵＲＬを宛先とするメッセージを受信した場合、そのメッセージに会員のＩＤがＣｏｏｋｉｅ情報として書き込まれているか否かを判定する。そして、サーバ装置ＳＶＤのＣＰＵ１２は、メッセージに会員のＩＤがＣｏｏｋｉｅ情報として書き込まれている場合は、そのＩＤと対応する会員の応募口数を１口増やす処理を行う。【選択図】図１
2014142835.tif 000002
【特許請求の範囲】
【請求項１】
サーバ装置が、自装置内のリソースのＵＲＬの末尾に会員のＩＤを付加したＵＲＬをキャンペーンサイトのＵＲＬとして会員のＳＮＳサイトに投稿させ、会員のＳＮＳサイトの投稿を参照した閲覧者の端末装置を自装置を経由してキャンペーンサイトに誘導し、各閲覧者がキャンペーンサイトを訪問した後にキャンペーンサイトの紹介元の会員をトラッキングするように構成されていることを特徴とするサイト閲覧者誘導方法。
【請求項２】
自装置内のリソースのＵＲＬである自装置ＵＲＬと自装置を経由して閲覧者を誘導する誘導先サイトのＵＲＬである誘導先ＵＲＬとを対応付けて記憶した第１のデータベースと、前記誘導先サイトの閲覧者であって会員としての登録手続きを済ませた者に固有の第１及び第２の２種類のＩＤと、各会員の個人情報と、各会員の抽選の応募口数とを対応付けて会員毎に記憶する第２のデータベースとを具備するサーバ装置を含むサイト閲覧者誘導システムによるサイト閲覧者誘導方法であって、
前記サーバ装置が、前記誘導先サイトの閲覧者の端末装置から会員登録手続きの開始を求めるメッセージを受信した場合に、受信したメッセージの送信元の閲覧者の端末装置に個人情報の入力欄を配した登録申込画面の画面データを送信する第１の行程と、
前記サーバ装置が、前記登録申込画面の画面データの送信先の端末装置から個人情報を含むメッセージを受信した場合に、受信したメッセージの送信元の閲覧者を新規会員とし、この新規会員に固有の第１及び第２のＩＤを生成し、この新規会員の第１及び第２のＩＤと、前記メッセージ内の個人情報と、応募口数の初期値とを対応付けて前記第２のデータベースに記憶し、ＳＮＳの投稿ボタンを配した投稿画面の画面データを当該新規会員の端末装置に送信するとともに、当該メッセージ内に前記第２のデータベース内の何れかの会員の第２のＩＤがＣｏｏｋｉｅ情報として書き込まれているか判定し、第２のＩＤがＣｏｏｋｉｅ情報として書き込まれている場合に、この第２のＩＤと対応付けて前記第２のデータベースに記憶された応募口数を増やす第２の行程と、
前記サーバ装置が、前記投稿画面の画面データの送信先の会員の端末装置から当該会員のＳＮＳサイトへの投稿を求めるメッセージを受信した場合に、当該会員の第１のＩＤを自装置ＵＲＬの末尾に付加したＵＲＬ又はこのＵＲＬを短縮したＵＲＬの投稿を求めるメッセージを当該会員のＳＮＳサイトの管理サーバに送信する第３の行程と、
前記サーバ装置が、会員のＳＮＳサイトの閲覧者の端末装置から自装置ＵＲＬに第１のＩＤを付加したＵＲＬを宛先とするメッセージを受信した場合に、受信したメッセージの宛先のＵＲＬ内の自装置ＵＲＬと対応付けて前記第１のデータベースに記憶されている誘導先ＵＲＬを読み出し、この誘導先ＵＲＬに当該メッセージを転送するとともに、当該メッセージの宛先のＵＲＬ内の第１のＩＤと対応付けて前記第２のデータベースに記憶された第２のＩＤを読み出し、この第２のＩＤをＣｏｏｋｉｅ情報として含むメッセージを前記ＳＮＳサイトの閲覧者の端末装置に送信する第４の行程と
を繰り返すことを特徴とするサイト閲覧者誘導方法。
【請求項３】
前記第３の行程では、
前記サーバ装置は、
前記会員のＳＮＳサイトの管理サーバから投稿が成功したことを示すメッセージを受信した場合に、当該会員の第１のＩＤと対応付けて前記第２のデータベースに記憶された応募口数を増やす
ことを特徴とする請求項２に記載のサイト閲覧者誘導方法。
【請求項４】
前記第３の行程では、
前記サーバ装置は、
予め設定された紹介文及び当該会員の第１のＩＤを自装置ＵＲＬの末尾に付加したＵＲＬ又はこのＵＲＬを短縮したＵＲＬの投稿を求めるメッセージを当該会員のＳＮＳサイトの管理サーバに送信する
ことを特徴とする請求項３に記載のサイト閲覧者誘導方法。
【発明の詳細な説明】
【技術分野】
【０００１】
この発明は、キャンペーンサイトの閲覧者数を増やす技術に関する。
【背景技術】
【０００２】
自社サイトを介した営業活動を行う企業は、自社サイトにおいて価格の割引等の特典を謳った販促キャンペーンを行う場合がある。特許文献１には、この種の販促キャンペーンにおける商品購入の成約率を高める技術の開示がある。この文献１に開示された解析装置は、企業のキャンペーンサイトなどの目的アクセス先に対するアクセスのアクセス履歴をセッション毎に記録した記録履歴部の記録内容から、アクセス履歴の傾向を単位期間毎に分析し、目的アクセス先に対するアクセスの潜在的な可能性を示す潜在特性を分析結果として導出するようになっている。
【先行技術文献】
【特許文献】
【０００３】
【特許文献１】特開２００９−２４４９８１号公報
【発明の概要】
【発明が解決しようとする課題】
【０００４】
ところで、企業のキャンペーンサイトで商品を購入する者の中には、Ｆａｃｅｂｏｏｋ（登録商標）やＴｗｉｔｔｅｒ（登録商標）などのＳＮＳ（Social Networking
Service）を通じて知り合った者の情報を頼りにして訪問先のサイトを決めている者も少なくない。このため、キャンペーンサイトを先に訪れた閲覧者にその販促キャンペーンを自身のＳＮＳを介して紹介するインセンティブが与えられるようなシステムを構築できれば、キャンペーンサイトの販促効果をより高めることができるはずであるが、このような技術は未だ実現されていない。
【０００５】
本発明は、このような課題に鑑みてなされたものであり、企業のサイトにおける販促キャンペーンの販促効果を高めることができる技術的手段を提供することを目的とする。
【課題を解決するための手段】
【０００６】
本発明の好適な態様であるサイト閲覧者誘導方法は、自装置内のリソースのＵＲＬである自装置ＵＲＬと自装置を経由して閲覧者を誘導する誘導先サイトのＵＲＬである誘導先ＵＲＬとを対応付けて記憶した第１のデータベースと、前記誘導先サイトの閲覧者であって会員としての登録手続きを済ませた者に固有の第１及び第２の２種類のＩＤと、各会員の個人情報と、各会員の抽選の応募口数とを対応付けて会員毎に記憶する第２のデータベースとを具備するサーバ装置を含むサイト閲覧者誘導システムによるサイト閲覧者誘導方法であって、前記サーバ装置が、前記誘導先サイトの閲覧者の端末装置から会員登録手続きの開始を求めるメッセージを受信した場合に、受信したメッセージの送信元の閲覧者の端末装置に個人情報の入力欄を配した登録申込画面の画面データを送信する第１の行程と、前記サーバ装置が、前記登録申込画面の画面データの送信先の端末装置から個人情報を含むメッセージを受信した場合に、受信したメッセージの送信元の閲覧者を新規会員とし、この新規会員に固有の第１及び第２のＩＤを生成し、この新規会員の第１及び第２のＩＤと、前記メッセージ内の個人情報と、応募口数の初期値とを対応付けて前記第２のデータベースに記憶し、ＳＮＳの投稿ボタンを配した投稿画面の画面データを当該新規会員の端末装置に送信するとともに、当該メッセージ内に前記第２のデータベース内の何れかの会員の第２のＩＤがＣｏｏｋｉｅ情報として書き込まれているか判定し、第２のＩＤがＣｏｏｋｉｅ情報として書き込まれている場合に、この第２のＩＤと対応付けて前記第２のデータベースに記憶された応募口数を増やす第２の行程と、前記サーバ装置が、前記投稿画面の画面データの送信先の会員の端末装置から当該会員のＳＮＳサイトへの投稿を求めるメッセージを受信した場合に、当該会員の第１のＩＤを自装置ＵＲＬの末尾に付加したＵＲＬ又はこのＵＲＬを短縮したＵＲＬの投稿を求めるメッセージを当該会員のＳＮＳサイトの管理サーバに送信する第３の行程と、前記サーバ装置が、会員のＳＮＳサイトの閲覧者の端末装置から自装置ＵＲＬに第１のＩＤを付加したＵＲＬを宛先とするメッセージを受信した場合に、受信したメッセージの宛先のＵＲＬ内の自装置ＵＲＬと対応付けて前記第１のデータベースに記憶されている誘導先ＵＲＬを読み出し、この誘導先ＵＲＬに当該メッセージを転送するとともに、当該メッセージの宛先のＵＲＬ内の第１のＩＤと対応付けて前記第２のデータベースに記憶された第２のＩＤを読み出し、この第２のＩＤをＣｏｏｋｉｅ情報として含むメッセージを前記ＳＮＳサイトの閲覧者の端末装置に送信する第４の行程とを繰り返すことを特徴とする。
【０００７】
このサイト閲覧者誘導方法では、サーバ装置は、販促キャンペーンのキャンペーンサイトの閲覧者であって会員登録手続きを済ませていない者の端末装置から会員登録手続きの開始を求めるメッセージを受信する度に、第１乃至第４の一連の行程を繰り返す。サーバ装置がこの一連の行程を繰り返すことにより、会員のＳＮＳサイトの紹介文を見てキャンペーンサイトを訪問した者が新規会員となり、この会員のＳＮＳサイトの紹介文を見てキャンペーンサイトを訪問した者が新規会員となり…というようにしてキャンペーンサイトの紹介役を担う者の数が増えていく。よって、本発明によると、企業の販促キャンペーンのキャンペーンサイトを多数人に効率よく知らせることができる。従って、本発明によると、企業の販促キャンペーンの販促効果を高めることができる。
【０００８】
本発明の別の好適な態様であるサイト閲覧者誘導方法は、サーバ装置が、自装置内のリソースのＵＲＬの末尾に会員のＩＤを付加したＵＲＬをキャンペーンサイトのＵＲＬとして会員のＳＮＳサイトに投稿させ、会員のＳＮＳサイトの投稿を参照した閲覧者の端末装置を自装置を経由してキャンペーンサイトに誘導し、各閲覧者がキャンペーンサイトを訪問した後にキャンペーンサイトの紹介元の会員をトラッキングするように構成されていることを特徴とする。
【０００９】
このサイト閲覧者誘導方法では、サーバ装置は、各閲覧者がキャンペーンサイトを訪問した後にキャンペーンサイトの紹介元の会員をトラッキングする。よって、本発明によると、各会員に各々のＳＮＳサイトの投稿を通じてキャンペーンサイトを紹介するインセンティブが与えられる。従って、本発明によると、企業の販促キャンペーンの販促効果を高めることができる。
【図面の簡単な説明】
【００１０】
【図１】本発明の一実施形態であるサイト閲覧者誘導システムの全体構成図である。
【図２】同システムのＷｅｂサーバにより提供されるキャンペーンサイトを示す図である。
【図３】同システムのサーバ装置のデータベースＤＢ１のデータ構造図である。
【図４】同システムのサーバ装置のデータベースＤＢ２のデータ構造図である。
【図５】同システムのキャンペーン登録処理を示すフローチャートである。
【図６】同システムのサーバ装置により提供される管理画面を示す図である。
【図７】同システムのサイト閲覧者誘導処理を示すフローチャートである。
【図８】同システムのサイト閲覧者誘導処理を示すフローチャートである。
【図９】同システムのサイト閲覧者誘導処理を示すフローチャートである。
【図１０】同システムのサーバ装置により提供される会員登録申込画面を示す図である。
【図１１】同システムのサーバ装置により提供される申込内容確認画面を示す図である。
【図１２】同システムのサーバ装置により提供される申込完了画面を示す図である。
【図１３】同システムのサーバ装置による投稿用のＵＲＬの生成の手順を示す図である。
【図１４】同システムのサーバ装置により提供される投稿画面を示す図である。
【図１５】同システムのサーバ装置により提供される投稿完了画面を示す図である。
【図１６】同システムのサーバ装置により提供される投稿失敗画面を示す図である。
【図１７】同システムのＳＮＳ管理サーバにより提供されるＳＮＳサイトのホーム画面を示す図である。
【図１８】同システムのＳＮＳ管理サーバにより提供されるＳＮＳサイトのホーム画面を示す図である。
【図１９】同システムのＳＮＳ管理サーバにより提供されるＳＮＳサイトのホーム画面を示す図である。
【図２０】同システムのＳＮＳ管理サーバにより提供されるＳＮＳサイトのホーム画面を示す図である。
【発明を実施するための形態】
【００１１】
以下、図面を参照しつつ本発明の実施形態について説明する。図１は、本発明の一実施形態であるサイト閲覧者誘導方法を実現するサイト閲覧者誘導システムの全体構成を示す図である。このシステムは、Ｆａｃｅｂｏｏｋ（登録商標）、Ｔｗｉｔｔｅｒ（登録商標）、Ｍｉｘｉ（登録商標）、及びブログの４種類のＳＮＳサイトのうち少なくとも１つ以上にアカウントを有する者の端末装置ＴＭＡと、ＳＮＳサイトをネットワーク９０に公開するＳＮＳ管理サーバＳＶＢと、顧客企業の委託の下に顧客企業の販促キャンペーンＣ−ｍ（ｍ＝１〜Ｍ、ｍはキャンペーンを示すインデックス、Ｍはキャンペーンの総数である）のキャンペーンサイトＣＳ−ｍ（ｍ＝１〜Ｍ）に閲覧者を誘導する業務を行う事業者Ｚのサーバ装置ＳＶＤと、事業者Ｚのオペレータの端末装置ＴＭＥと、キャンペーンサイトＣＳ−ｍ（ｍ＝１〜Ｍ）をネットワーク９０に公開するＷｅｂサーバＳＶＣとを有する。
【００１２】
図２に示すように、本実施形態におけるキャンペーンサイトＣＳ−ｍ（ｍ＝１〜Ｍ）の各々の一角（図２の例では画面下）には、当該キャンペーンサイトＣＳ−ｍをＳＮＳサイトの投稿により紹介すると抽選で賞品が当たること及びこの特典を得るためには会員登録手続きが必要であることを案内する文字と、サーバ装置ＳＶＤ内における会員登録画面の画面データ（ＨＴＭＬ（Hyper Text Markup Language）データ）のＵＲＬ（Uniform
Resource Locator）をハイパーリンク先とするバナーＢＮとが表示される。
【００１３】
本実施形態では、サーバ装置ＳＶＤは、キャンペーンサイトＣＳ−ｍのバナーＢＮから会員登録画面に進んで会員登録手続きを行った者を会員Ｙ−ｎ（ｎ＝１〜Ｎ、ｎは会員を示すインデックス、Ｎは会員の最新の登録数である）に追加し、新規会員Ｙ−ｎの登録手続きを受け付ける度にその者にキャンペーンサイトＣＳ−ｍを紹介した紹介元の会員Ｙ−ｎをトラッキング（追跡）し、会員Ｙ−ｎ（ｎ＝１〜Ｎ）におけるキャンペーンＣ−ｍ終了後の抽選の応募口数を各々のＳＮＳサイトを経由して会員登録手続きに進んだ者の数に応じて増やす処理を行う。
【００１４】
図１において、サーバ装置ＳＶＤは、通信インターフェース１１、ＣＰＵ１２、ＲＡＭ１３、ＲＯＭ１４、ハードディスク１５、ディスプレイ１６、マウス１７、キーボード１８を有する。通信インターフェース１１は、インターネット９０に接続された装置との間でデータを送受信する。ＣＰＵ１２は、ＲＡＭ１３をワークエリアとして利用しつつ、ＲＯＭ１４やハードディスク１５に記憶された各種プログラムを実行する。ＲＯＭ１４には、ＩＰＬ（Initial Program Loader）などが記憶されている。ハードディスク１５には、データベースＤＢ１及びＤＢ２が記憶されている。
【００１５】
図３は、データベースＤＢ１のデータ構造を概念的に示す図である。このデータベースＤＢ１は、各々が１つのキャンペーンＣ−ｍと対応する複数のレコードの集合体である。このデータベースＤＢ１の１つのレコードは、「キャンペーン名称」、「キャンペーン期間」、「自装置ＵＲＬ」、「誘導先ＵＲＬ」、「応募で１口」、「投稿で１口」、「紹介で１口」、「Ｔｗｉｔｔｅｒ投稿設定」、「Ｔｗｉｔｔｅｒ紹介文」、「Ｆａｃｅｂｏｏｋ投稿設定」、「Ｆａｃｅｂｏｏｋ紹介文」、「Ｍｉｘｉ投稿設定」、「Ｍｉｘｉ紹介文」、「ブログ投稿設定」、及び「ブログ紹介文」の１５のフィールドを有する。各フィールドの内容は次の通りである。
【００１６】
ａ１．キャンペーン名称
このフィールドは、キャンペーンＣ−ｍの名称を示す。
ｂ１．キャンペーン期間
このフィールドは、キャンペーンＣ−ｍの開催期間の開始日と終了日を示す。
ｃ１．自装置ＵＲＬ
このフィールドは、自装置ＳＶＤのハードディスク１５内における所定領域ＡＲのパス（例えば、https://sttool.jp/f/campaign/とする）にキャンペーンＣ−ｍに固有の１５字以内の文字列を付加したＵＲＬを示す。
ｄ１．誘導先ＵＲＬ
このフィールドは、キャンペーンＣ−ｍのサイトＣＳ−ｍのＵＲＬを示す。
ｅ１．応募で１口
このフィールドは、会員Ｙ−ｎでない者が登録手続きを済ませた時点でその者自身の応募口数を１口増やす、という口数増加ルール（以下、ルールＲ１）の適用の有無（具体的には、当該ルールを適用する場合は「１」、当該ルールを適用しない場合は「０」）を示す。
ｆ１．投稿で１口
このフィールドは、会員Ｙ−ｎが自身のＳＮＳサイトにキャンペーンサイトＣＳ−ｍの紹介文を投稿した時点でその者の応募口数を１口増やす、という口数増加ルール（以下、ルールＲ２）の適用の有無（具体的には、当該ルールを適用する場合は「１」、当該ルールを適用しない場合は「０」）を示す。
ｇ１．紹介で１口
このフィールドは、会員Ｙ−ｎでない者が会員Ｙ−ｎのＳＮＳサイトの紹介文を見てキャンペーンサイトＣＳ−ｍを閲覧し、そのバナーＢＮから登録手続き画面に進んで登録手続きを行った場合に、紹介元の会員Ｙ−ｎの応募口数を１口増やす、という口数増加ルール（以下、ルールＲ３）の適用の有無（具体的には、当該ルールを適用する場合は「１」、当該ルールを適用しない場合は「０」）を示す。
ｈ１．Ｔｗｉｔｔｅｒ投稿設定
このフィールドは、ＴｗｉｔｔｅｒをキャンペーンサイトＣＳ−ｍの紹介文の投稿先とするか否かの設定（具体的には、Ｔｗｉｔｔｅｒを投稿先とする場合は「１」、投稿先としない場合は「０」）を示す。
ｉ１．Ｔｗｉｔｔｅｒ紹介文
このフィールドは、ＴｗｉｔｔｅｒにキャンペーンサイトＣＳ−ｍの紹介文として載せる定型文ＴＸＴを示す。
ｊ１．Ｆａｃｅｂｏｏｋ投稿設定
このフィールドは、ＦａｃｅｂｏｏｋをキャンペーンサイトＣＳ−ｍの紹介文の投稿先とするか否かの設定（具体的には、Ｆａｃｅｂｏｏｋを投稿先とする場合は「１」、投稿先としない場合は「０」）を示す。
ｋ１．Ｆａｃｅｂｏｏｋ紹介文
このフィールドは、会員Ｙ−ｎのＦａｃｅｂｏｏｋにキャンペーンサイトＣＳ−ｍの紹介文として載せる定型文ＴＸＦを示す。
ｌ１．Ｍｉｘｉ投稿設定
このフィールドは、ＭｉｘｉをサイトＣＳ−ｍの紹介文の投稿先とするか否かの設定（具体的には、Ｍｉｘｉを投稿先とする場合は「１」、投稿先としない場合は「０」）を示す。
ｍ１．Ｍｉｘｉ紹介文
このフィールドは、会員Ｙ−ｎのＭｉｘｉにキャンペーンサイトＣＳ−ｍの紹介文として載せる定型文ＴＸＭを示す。
ｎ１．ブログ投稿設定
このフィールドは、ブログをキャンペーンサイトＣＳ−ｍの紹介文の投稿先とするか否かの設定（具体的には、ブログを投稿先とする場合は「１」、ブログを投稿先としない場合は「０」）を示す。
ｏ１．ブログ紹介文
このフィールドは、会員Ｙ−ｎのブログにキャンペーンサイトＣＳ−ｍの紹介文として載せる定型文ＴＸＢを示す。
【００１７】
図４は、データベースＤＢ２のデータ構造を概念的に示す図である。このデータベースＤＢ２は、各々が１人の会員Ｙ−ｎ（会員登録手続きを済ませた者）と対応する複数のレコードの集合体である。このデータベースＤＢ２の１つのレコードは、「姓」、「名」、「性別」、「生年月日（年）」、「生年月日（月）」、「生年月日（日）」、「メールアドレス」、「口数」、「第１ＩＤ」、「第２ＩＤ」、及び「紹介元」の１１のフィールドを有する。各フィールドの内容は次の通りである。
【００１８】
ａ２．姓
このフィールドは、会員Ｙ−ｎの性を示す。
ｂ２．名
このフィールドは、会員Ｙ−ｎの名を示す
ｃ２．性別
このフィールドは、会員Ｙ−ｎの性別（具体的には、「男性」及び「女性」のいずれか一方）を示す。
ｄ２．生年月日（年）
このフィールドは、会員Ｙ−ｎの誕生年を示す。
ｅ２．生年月日（月）
このフィールドは、会員Ｙ−ｎの誕生月を示す。
ｆ２．生年月日（日）
このフィールドは、会員Ｙ−ｎの誕生日を示す。
ｇ２．メールアドレス
このフィールドは、会員Ｙ−ｎの電子メールアドレスを示す。
ｈ２．口数
このフィールドは、会員Ｙ−ｎの応募口数（具体的には、キャンペーンＣ−ｍの終了後に顧客企業によって行われる抽選の応募口数）を示す。
ｉ２．第１ＩＤ
このフィールドは、会員Ｙ−ｎの会員登録手続き後に発行されるＩＤ１（具体的には、半角英数字からなる８桁の文字）を示す。
ｊ２．第２ＩＤ
このフィールドは、会員Ｙ−ｎの会員登録手続き後に発行されるＩＤ２（具体的には、半角数字からなる１０桁の文字）を示す。
ｋ２．被紹介者
このフィールドは、会員Ｙ−ｎの会員登録手続きの前にＳＮＳサイトを介してキャンペーンサイトＣＳ−ｍを紹介した紹介元の会員Ｙ−ｎのＩＤ１を示す。
【００１９】
図１において、端末装置ＴＭＡは、通信インターフェース２１、ＣＰＵ２２、ＲＡＭ２３、ＲＯＭ２４、ハードディスク２５、ディスプレイ２６、マウス２７、キーボード２８を有する。同様に、端末装置ＴＭＥは、通信インターフェース３１、ＣＰＵ３２、ＲＡＭ３３、ＲＯＭ３４、ハードディスク３５、ディスプレイ３６、マウス３７、キーボード３８を有する。
【００２０】
次に、本実施形態の動作について説明する。本実施形態の動作は、キャンペーン登録処理とサイト閲覧者誘導処理の２つの処理を含む。キャンペーン登録処理は、顧客企業から事業者Ｚに新規キャンペーンＣ−ｍの事業支援の依頼があった場合に実行される処理である。サイト閲覧者誘導処理は、キャンペーンＣ−ｍの開催期間中に実行される処理である。
【００２１】
図５は、あるキャンペーンＣ−ｍ（例えば、キャンペーンＣ−４０とする）の事業支援の依頼があった場合におけるキャンペーン登録処理の一例を示すフローチャートである。キャンペーン登録処理では、事業者Ｚのオペレータは、端末装置ＴＭＥにより管理画面を閲覧する操作を行う。この操作が行われると、端末装置ＴＭＥは、サーバ装置ＳＶＤとの間で所定の認証処理を行った後、サーバ装置ＳＶＤ内における管理画面のＵＲＬを宛先とするメッセージＭＳＳＥ０１（ＨＴＴＰ（Hyper Text Transfer Protocol）リクエスト）を送信する（ＳＥ０１）。サーバ装置ＳＶＤのＣＰＵ１２は、メッセージＭＳＳＥ０１を受信すると、管理画面の画面データ（ＨＴＭＬ（Hyper Text Markup Language）データ）を含むメッセージＭＳＳＤ４１を端末装置ＴＭＥに送信する（ＳＤ４１）。
【００２２】
端末装置ＴＭＥのＣＰＵ３２は、メッセージＭＳＳＤ４１を受信すると、管理画面をディスプレイ３６に表示させる（ＳＥ０２）。図６は、管理画面を示す図である。図６に示すように、管理画面には登録フォーム１１１が配置されている。登録フォーム１１１内の左側には、「キャンペーン名称」、「キャンペーン期間」、「文字列設定」、「キャンペーンサイト」、「口数増加ルール」、「Ｔｗｉｔｔｅｒ」、「Ｆａｃｅｂｏｏｋ」、「Ｍｉｘｉボイス」、及び「ブログ」の各文字が上下に並べて記されている。  
【００２３】
登録フォーム１１１における「キャンペーン名称」の文字の右には入力欄１１２が配置されている。「キャンペーン期間」の文字の右には入力欄１１３が配置されている。「文字列設定」の文字の右には領域ＡＲのパス（https://sttool.jp/f/campaign/）が記されている。このパスの右には入力欄１１４が配置されている。「キャンペーンサイト」の文字の右には入力欄１１５が配置されている。「口数増加ルール」の文字の右には３つのチェックボックス１１６、１１７、１１８が上下に並べて配置されている。チェックボックス１１６の右には「応募で一口」の文字が記されている。チェックボックス１１７の右には「投稿で一口」の文字が記されている。チェックボックス１１８の右には「紹介で１口」の文字が記されている。
【００２４】
「Ｔｗｉｔｔｅｒ」の文字の右にはチェックボックス１１９が配置されている。チェックボックス１１９の下には入力欄１２０が配置されている。入力欄１２０の下には「紹介文とする文言を１４０字以内で設定してください。ＵＲＬは自動的に付加されます。」の文字が記されている。「Ｆａｃｅｂｏｏｋ」の文字の右にはチェックボックス１２１が配置されている。チェックボックス１２１の下には入力欄１２２が配置されている。入力欄１２２の下には「紹介文とする文言を２００字以内で設定してください。ＵＲＬは自動的に付加されます。」の文字が記されている。「Ｍｉｘｉボイス」の文字の右にはチェックボックス１２３が配置されている。チェックボックス１２３の下には入力欄１２４が配置されている。入力欄１２４の下には「紹介文とする文言を１４０字以内で設定してください。ＵＲＬは自動的に付加されます。」の文字が記されている。「ブログ」の文字の右にはチェックボックス１２５が配置されている。チェックボックス１２５の下には入力欄１２６が配置されている。入力欄１２６の下には「紹介文とする文言を２００字以内で設定してください。ＵＲＬは自動的に付加されます。」の文字が記されている。この文字の下には、「登録」と記されたボタン１２７が配置されている。
【００２５】
この管理画面において、オペレータは、各欄に該当の情報を入力する。より具体的に説明すると、オペレータは、登録対象である新規キャンペーンＣ−４０の名称を入力欄１１２に入力する。また、キャンペーンＣ−４０の開催期間の開始日と終了日を入力欄１１３に入力する。また、キャンペーンＣ−４０に固有の１５文字以内の文字列を決定し、この文字列を入力欄１１４に入力する。また、キャンペーンサイトＣＳ−４０のＵＲＬを入力欄１１５に入力する。また、キャンペーンＣ−４０の応募口数の増加にルールＲ１を適用する場合は、チェックボックス１１６にチェックを入れる。また、キャンペーンＣ−４０の応募口数の増加にルールＲ２を適用する場合は、チェックボックス１１７にチェックを入れる。また、キャンペーンＣ−４０の応募口数の増加にルールＲ３を適用する場合は、チェックボックス１１８にチェックを入れる。
【００２６】
また、オペレータは、会員Ｙ−ｎにＴｗｉｔｔｅｒへのキャンペーンＣ−４０の紹介文の投稿を求める場合は、チェックボックス１１９にチェックを入れ、紹介文とする文言を入力欄１２０に入力する。また、オペレータは、会員Ｙ−ｎにＦａｃｅｂｏｏｋへのキャンペーンＣ−４０の紹介文の投稿を求める場合は、チェックボックス１２１にチェックを入れ、紹介文とする文言を入力欄１２２に入力する。また、オペレータは、会員Ｙ−ｎにＭｉｘｉボイスへのキャンペーンＣ−４０の紹介文の投稿を求める場合は、チェックボックス１２３にチェックを入れ、紹介文とする文言を入力欄１２４に入力する。また、オペレータは、会員Ｙ−ｎにブログへのキャンペーンＣ−４０の紹介文の投稿を求める場合は、チェックボックス１２５にチェックを入れ、紹介文とする文言を入力欄１２６に入力する。オペレータは、以上の入力操作を行った後、ボタン１２７を選択する。
【００２７】
端末装置ＴＭＥのＣＰＵ３２は、登録ボタン１２７が選択された場合（ＳＥ０３：Ｙｅｓ）、入力欄１１２、１１３、１１４、１１５、１２０、１２２、１２４、１２６の入力文字とチェックボックス１１６、１１７、１１８、１１９、１２１、１２３、１２５におけるチェックの有無を示す情報を登録情報として含むメッセージＭＳＳＥ０４をサーバ装置ＳＶＤに送信する（ＳＥ０４）。サーバ装置ＳＶＤのＣＰＵ１２は、メッセージＭＳＳＥ０４を受信すると、メッセージＭＳＳＥ０４内の登録情報をＲＡＭ１３に記憶し、この情報を各フィールドの値とするレコードをデータベースＤＢ１に追加する（ＳＤ４２）。
【００２８】
より具体的に説明すると、このステップＳＤ４２では、サーバ装置ＳＶＤのＣＰＵ１２は、データベースＤＢ１の新規レコードにおける「キャンペーン名称」のフィールドを入力欄１１２の入力文字とし、「キャンペーン期間」のフィールドを入力欄１１３の入力文字とする。また、新規レコードの「自装置ＵＲＬ」のフィールドを領域ＡＲのパス（https://sttool.jp/f/campaign/）と入力欄１１４の入力文字とを繋げたＵＲＬとし、「誘導先ＵＲＬ」のフィールドを入力欄１１５内のＵＲＬとする。
【００２９】
また、新規レコードの「応募で１口」のフィールドをチェックボックス１１６のチェックの有無に応じた値（「０」又は「１」）とし、「投稿で１口」のフィールドをチェックボックス１１７のチェックの有無に応じた値（「０」又は「１」）とし、「紹介で１口」のフィールドをチェックボックス１１８のチェックの有無に応じた値（「０」又は「１」）とする。
【００３０】
また、新規レコードの「Ｔｗｉｔｔｅｒ投稿設定」のフィールドをチェックボックス１１９のチェックの有無に応じた値（「０」又は「１」）とし、「Ｔｗｉｔｔｅｒ紹介文」のフィールドを入力欄１２０の入力文字とする。また、新規レコードの「Ｆａｃｅｂｏｏｋ投稿設定」のフィールドをチェックボックス１２１のチェックの有無に応じた値（「０」又は「１」）とし、「Ｆａｃｅｂｏｏｋ紹介文」のフィールドを入力欄１２２の入力文字とする。また、新規レコードの「Ｍｉｘｉ投稿設定」のフィールドをチェックボックス１２３のチェックの有無に応じた値（「０」又は「１」）とし、「Ｍｉｘｉ紹介文」のフィールドを入力欄１２４の入力文字とする。また、新規レコードの「ブログ投稿設定」のフィールドをチェックボックス１２５のチェックの有無に応じた値（「０」又は「１」）とし、「ブログ紹介文」のフィールドを入力欄１２６の入力文字とする。
【００３１】
次に、サイト閲覧者誘導処理について説明する。図７、図８、図９は、あるキャンペーンＣ−ｍ（例えば、キャンペーンＣ−５０とする）の開催期間中におけるサイト閲覧者誘導処理の一例を示すフローチャートである。サイト閲覧者誘導処理では、当該キャンペーンＣ−５０のキャンペーンサイトＣＳ−５０の閲覧者であって会員登録手続きを済ませていない者（閲覧者Ｘ１とする）がキャンペーンサイトＣＳ−５０のバナーＢＮを選択する操作を行った場合、閲覧者Ｘ１の端末装置ＴＭＡのＣＰＵ２２は、サーバ装置ＳＶＤ内における会員登録申込画面の画面データのＵＲＬを宛先とするメッセージＭＳＳＡ１１（会員登録手続きの開始を求めるメッセージ）を送信する（ＳＡ１１）。
【００３２】
サーバ装置ＳＶＤのＣＰＵ１２は、メッセージＭＳＳＡ１１を受信すると、会員登録申込画面の画面データを含むメッセージＭＳＳＤ５１を閲覧者Ｘ１の端末装置ＴＭＡに送信する（ＳＤ５１）。閲覧者Ｘ１の端末装置ＴＭＡのＣＰＵ２２は、メッセージＭＳＳＤ５１を受信すると、会員登録申込画面をディスプレイ２６に表示させる（ＳＡ１２）。図１０は、会員登録申込画面を示す図である。図１０に示すように、この画面の最上段には、「お客様情報を入力いただき、「内容確認」を押してください。」の文字が記されている。その下には、「お客様情報入力」、「氏名」、「性別」、「生年月日」、「メールアドレス」の各文字が上下に並べて配置されている。「氏名」の文字の右には、「姓」の文字と入力欄１２１、及び「名」の文字と入力欄１２２が左右に並べて配置されている。「性別」の文字の右には、２つのラジオボタン１２３及び１２４が左右に並べて配置されている。ラジオボタン１２３の右には「男性」の文字が記されている。ラジオボタン１２４の右には「女性」の文字が記されている。「生年月日」の文字の右には、年入力欄１２５、月入力欄１２６、日入力欄１２７が配置されている。年入力欄１２５の右隣りには「年」の文字が記されている。月入力欄１２６の右隣りには「月」の文字が記されている。日入力欄１２７の右隣りには「日」の文字が記されている。年入力欄１２５には各誕生年を選択項目とするプルダウンメニューが埋め込まれている。月入力欄１２６には各誕生月を選択項目とするプルダウンメニューが埋め込まれている。日入力欄１２７には各誕生日を選択項目とするプルダウンメニューが埋め込まれている。「メールアドレス」の文字の右には入力欄１２８が配置されている。入力欄１２８の下には入力欄１２９が配置されている。入力欄１２９の右には「（確認用）」の文字が記されている。入力欄１２９の下には、「内容確認」と記されたボタン１３０が配置されている。
【００３３】
この会員登録申込画面において、閲覧者Ｘ１は、各欄に該当の情報を入力する。より具体的に説明すると、閲覧者Ｘ１は、入力欄１２１に自身の姓を入力する。また、入力欄１２２に自身の名を入力する。また、ラジオボタン１２３及び１２４のうち自身の性別と対応するものを選択する。また、入力欄１２５のプルダウンメニューを展開し、このメニューの中から自身の生年月日の該当年を選択して入力欄１２５内に入力する。また、入力欄１２６のプルダウンメニューを展開し、このメニューの中から自身の生年月日の該当月を選択して入力欄１２６内に入力する。また、入力欄１２７のプルダウンメニューを展開し、このメニューの中から自身の生年月日の該当日を選択して入力欄１２７内に入力する。また、入力欄１２８及び１２９内に自身の電子メールアドレスを入力する。閲覧者Ｘ１は、以上の入力手続きを行った後、「内容確認」のボタン１３０を選択する。
【００３４】
閲覧者Ｘ１の端末装置ＴＭＡのＣＰＵ２２は、「内容確認」のボタン１３０が選択された場合（ＳＡ１３：Ｙｅｓ）、入力欄１２１、１２２、１２５、１２６、１２７、１２８の入力文字とラジオボタン１２３及び１２４の選択の有無を示す情報を個人情報として含むメッセージＭＳＳＡ１４をサーバ装置ＳＶＤに送信する（ＳＡ１４）。
【００３５】
サーバ装置ＳＶＤのＣＰＵ１２は、メッセージＭＳＳＡ１４を受信すると、メッセージＭＳＳＡ１４内の個人情報をＲＡＭ１３に記憶し、この情報を申込内容確認画面の画面データに埋め込んだものを含むメッセージＭＳＳＤ５２を閲覧者Ｘ１の端末装置ＴＭＡに送信する（ＳＤ５２）。閲覧者Ｘ１の端末装置ＴＭＡのＣＰＵ２２は、メッセージＭＳＳＤ５２を受信すると、申込内容確認画面をディスプレイ２６に表示させる。
【００３６】
図１１は、申込内容確認画面を示す図である。図１１に示すように、この画面の最上段には、「入力内容をご確認のうえ、「次へ」を押してください。」の文字が記されている。その下には、「お客様情報確認」、「氏名」、「性別」、「生年月日」、「メールアドレス」の各文字が上下に並べて配置されている。「氏名」の文字の右には、入力欄１２１及び１２２に入力されたものと同じ文字（図１１の例では、「テスト太郎」）が記されている。「性別」の文字の右には、ラジオボタン１２３及び１２４のうち選択された方と対応する性別（図１１の例では、「男性」）が記されている。
【００３７】
「生年月日」の文字の右には、入力欄１２５、１２６、１２７に入力されたものと同じ文字（図１１の例では、１９７５年０４月０５日）が記されている。「メールアドレス」の文字の右には、入力欄１２８に入力されたものと同じ文字（図１１の例では、「tesuto.tarou@test.com」）が記されている。その下には、「戻る」と記されたボタン１４１と「次へ」と記されたボタン１４２が左右に並べて配置されている。
【００３８】
この申込内容確認画面において、閲覧者Ｘ１は、自身の氏名、性別、生年月日、電子メールアドレスの内容を修正したい場合は「戻る」のボタン１４１を選択し、その必要がない場合は「次へ」のボタン１４２を選択する。
【００３９】
閲覧者Ｘ１の端末装置ＴＭＡのＣＰＵ２２は、「戻る」のボタン１４１が選択された場合（ＳＡ１５：Ｙｅｓ）、ステップＳＡ１２に戻り、会員登録申込画面をディスプレイ２６に再び表示させる。閲覧者Ｘ１の端末装置ＴＭＡのＣＰＵ２２は、「次へ」のボタン１４２が選択された場合（ＳＡ１６：Ｙｅｓ）、登録を求めるメッセージＭＳＳＡ１７を送信する（ＳＡ１７）。サーバ装置ＳＶＤのＣＰＵ１２は、メッセージＭＳＳＡ１７を受信すると、このメッセージＭＳＳＡ１７の送信元の閲覧者Ｘ１を新規会員Ｙ−ｎとし、閲覧者Ｘ１に固有の２種類のＩＤ１及びＩＤ２を生成し、これらのＩＤ１及びＩＤ２とＲＡＭ１３内の個人情報とを含むレコードをデータベースＤＢ２に追加する（ＳＤ５３）。
【００４０】
より具体的に説明すると、このステップＳＤ５３では、サーバ装置ＳＶＤのＣＰＵ１２は、乱数を用いて固有の８桁の文字列を生成し、この８桁の文字列を閲覧者Ｘ１のＩＤ１とする。サーバ装置ＳＶＤのＣＰＵ１２は、0000000000〜9999999999間における未採番の番号の中から最も小さい１０桁の番号を選択し、この１０桁の番号を閲覧者Ｘ１のＩＤ２とする。サーバ装置ＳＶＤのＣＰＵ１２は、データベースＤＢ２の新規レコードにおける「姓」のフィールドを入力欄１２１の入力文字とし、「名」のフィールドを入力欄１２２の入力文字とする。また、新規レコードにおける「性別」のフィールドをラジオボタン１２３及び１２４のうち選択されたものとし、「生年月日（年）」のフィールドを入力欄１２５の入力文字とし、「生年月日（月）」のフィールドを入力欄１２６の入力文字とし、「生年月日（日）」のフィールドを入力欄１２７の入力文字とし、「メールアドレス」のフィールドを入力欄１２８の入力文字とし、「口数」のフィールドを応募口数の初期値である「０」とする。また、新規レコードにおける「第１ＩＤ」のフィールドを閲覧者Ｘ１について生成したＩＤ１とし、「第２ＩＤ」のフィールドを閲覧者Ｘ１について生成したＩＤ２とする。また、新規レコードにおける「紹介元」のフィールドを空欄とする。
【００４１】
サーバ装置ＳＶＤのＣＰＵ１２は、メッセージＭＳＳＡ１７に登録済みの会員Ｙ−ｎのＩＤ２がＣｏｏｋｉｅ情報として含まれているか否かを判定する（ＳＤ５４）。サーバ装置ＳＶＤのＣＰＵ１２は、メッセージＭＳＳＡ１７にＩＤ２が含まれていた場合（ＳＤ５４：Ｙｅｓ）、データベースＤＢ１の各レコードの中からキャンペーンサイトＣＳ−５０のレコードを検索し、検索したレコードの「ルール３」のフィールドが「１（適用あり）」になっているか否かを判定する（ＳＤ５５）。
【００４２】
サーバ装置ＳＶＤのＣＰＵ１２は、「ルール３」のフィールドが「１（適用あり）」になっている場合（ＳＤ５５：Ｙｅｓ）、データベースＤＢ２の各レコードの中からメッセージＭＳＳＡ１７内にＣｏｏｋｉｅ情報として書き込まれていたものと同じＩＤ２を「第２ＩＤ」のフィールドの値とするレコードを検索し、検索したレコードの「口数」のフィールドの応募口数を１口増やす（ＳＤ５６）。
【００４３】
サーバ装置ＳＶＤのＣＰＵ１２は、データベースＤＢ２の各レコードの中から閲覧者Ｘ１のレコードを検索し、検索したレコードにおける「紹介元」のフィールドに、閲覧者Ｘ１にＳＮＳサイトの投稿文を通じてキャンペーンサイトＣＳ−５０を紹介した紹介元の会員Ｙ−ｎのＩＤ１を登録する（ＳＤ５７）。より具体的に説明すると、このステップＳＤ５７では、サーバ装置ＳＶＤのＣＰＵ１２は、データベースＤＢ２の各レコードの中からメッセージＭＳＳＡ１７内にＣｏｏｋｉｅ情報として書き込まれていたものと同じＩＤ２を「第２ＩＤ」のフィールドの値とするレコードを探索し、このレコードの「第１ＩＤ」のフィールドのＩＤ１をＲＡＭ１３に読み出し、このＲＡＭ１３に読み出したＩＤ１をデータベースＤＢ２における閲覧者Ｘ１のレコードの「紹介元」のフィールドに記憶する。
【００４４】
サーバ装置ＳＶＤのＣＰＵ１２は、メッセージＭＳＳＡ１７にＩＤ２が書き込まれていなかった場合（ＳＤ５４：Ｎｏ）、又は、「ルート３」のフィールドが「０（適用なし）」になっている場合（ＳＤ５５：Ｎｏ）、ステップＳＤ５６及びＳＤ５７を実行せずに次のステップＳＤ５８に進む。
【００４５】
ステップＳＤ５８では、サーバ装置ＳＶＤのＣＰＵ１２は、データベースＤＢ１の各レコードの中からキャンペーンサイトＣＳ−ｍのレコードを検索し、検索したレコードの「ルール１」のフィールドが「１（適用あり）」になっているか否かを判定する。サーバ装置ＳＶＤのＣＰＵ１２は、「ルール１」のフィールドが「１（適用あり）」になっている場合（ＳＤ５８：Ｙｅｓ）、データベースＤＢ２の各レコードの中から閲覧者Ｘ１のレコードを検索し、検索したレコードにおける「口数」のフィールドの応募口数を１口増やす（ＳＤ５９）。サーバ装置ＳＶＤのＣＰＵ１２は、「ルール１」のフィールドが「０（適用なし）」になっている場合（ＳＤ５８：Ｎｏ）、ステップＳＤ５９を実行せずに次のステップＳＤ６０に進む。
【００４６】
ステップＳＤ６０では、サーバ装置ＳＶＤのＣＰＵ１２は、申込完了画面の画面データを含むメッセージＭＳＳＤ６０を閲覧者Ｘ１の端末装置ＴＭＡに送信する。閲覧者Ｘ１の端末装置ＴＭＡのＣＰＵ２２は、メッセージＭＳＳＤ６０を受信すると、申込完了画面をディスプレイ２６に表示する（ＳＡ１８）。図１２は、申込完了画面を示す図である。この図１２に示すように、申込完了画面の最上段には、「Ｆａｃｅｂｏｏｋ、Ｔｗｉｔｔｅｒ、Ｍｉｘｉ、ブログでお友達に本キャンペーンを紹介すればするほど、お友達が応募すればするほど当選確率がアップします！「お友達に紹介する」を押してお進みください。」の文字が記されている。その下には矩形枠１５１が配置されている。矩形枠１５１内の上段左側には、「キャンペーンを紹介すればするほど」、「お友達が応募すればするほど」、「当選確率アップ！」の文字が上下に並べて記されている。
【００４７】
その下には、高さの異なる４種類の矩形枠１５２−ｉ（ｉ＝１〜４）が表示されている。矩形枠１５２−ｉ（ｉ＝１〜４）の高さは、矩形枠１５２−１、矩形枠１５２−２、矩形枠１５２−３、矩形枠１５２−４の順に高くなっている。矩形枠１５２−１内には、人の上半身を模擬したマークＭＫが１つ記されている。矩形枠１５２−２内には、矩形枠１５２−１内のものと同じ２つのマークＭＫが上下に並べて記されている。矩形枠１５２−３内には、矩形枠１５２−１内のものと同じ３つのマークＭＫが上下に並べて記されている。矩形枠１５２−４内には、矩形枠１５２−１内のものと同じ４つのマークＭＫが上下に並べて記されている。
【００４８】
矩形枠１５２−１内のマークＭＫの右には「あなただけ！」の文字が記されている。矩形枠１５２−１の上には、「お友達を誘ってみんなで応募しよう」と記された吹出枠１５３−１が配置されている。矩形枠１５２−２内の上のマークＭＫの右には「お友達＋１」の文字が記されている。矩形枠１５２−２内の下のマークＭＫの右には「×２」の文字が記されている。矩形枠１５２−２の上には「チャンスＵＰ」と記された吹出枠１５３−２が配置されている。矩形枠１５２−３内の一番上のマークＭＫの右には「お友達＋１」の文字が記されている。矩形枠１５２−３内の一番下のマークＭＫの右には「×３」の文字が記されている。矩形枠１５２−３の上には矩形枠１５２−２の上のものと同じ吹出枠１５３−３が配置されている。矩形枠１５２−４内の一番上のマークＭＫの右には「お友達＋１」の文字が記されている。矩形枠１５２−４の上には、矩形枠１５２−２の上のものと同じ吹出枠１５３−４が配置されている。矩形枠１５２−ｉ（ｉ＝１〜４）の下には、ボタン１５４が配置されている。ボタン１５４内には、「お友達に紹介する」の文字が記されている。
【００４９】
この申込完了画面において、閲覧者Ｘ１（新規会員）は、キャンペーンサイトＣＳ−５０を自身のＳＮＳサイトの投稿により紹介する場合は、「お友達に紹介する」のボタン１５４を選択する。閲覧者Ｘ１の端末装置ＴＭＡのＣＰＵ２２は、「お友達に紹介する」のボタン１５４が選択された場合（ＳＡ１９：Ｙｅｓ）、投稿画面を求めるメッセージＭＳＳＡ２０を送信する（ＳＡ２０）。
【００５０】
サーバ装置ＳＶＤのＣＰＵ１２は、メッセージＭＳＳＡ２０を受信すると、投稿用のＵＲＬを生成する（ＳＤ６１）。このステップＳＤ６１では、投稿用ＵＲＬと投稿用短縮ＵＲＬの２種類のＵＲＬを生成する。より具体的に説明すると、図１３（Ａ）に示すように、データベースＤＢ１の各レコードの中からキャンペーンサイトＣＳ−５０のレコードを検索し、検索したレコードの「自装置ＵＲＬ」のフィールドのＵＲＬ（図１３（Ａ）の例では、https://sttool.jp/f/campaign/0000000050）をＲＡＭ１３に読み出す。次に、図１３（Ｂ）に示すように、データベースＤＢ２の各レコードの中から閲覧者Ｘ１のレコードを検索し、検索したレコードの「第１ＩＤ」のフィールドのＩＤ１（図１３（Ｂ）の例では、01WaqO3u）をＲＡＭ１３に読み出す。そして、図１３（Ｃ）に示すように、ＲＡＭ１３内のＵＲＬ（https://sttool.jp/f/campaign/0000000050）の末尾に「/」とＲＡＭ１３内のＩＤ１（01WaqO3u）とを付加した文字列（https://sttool.jp/f/campaign/0000000050/01WaqO3u）を投稿用ＵＲＬとする。さらに、図１３（Ｄ）に示すように、投稿用ＵＲＬをより短いドメイン名（例えば、bit.lyとする）の後に固有の文字列を繋げたＵＲＬ（図１３Ｄの例では、https://bit.ly/SPRZNw）に変換し、この変換したＵＲＬを投稿用短縮ＵＲＬとする。
【００５１】
ここで、このステップＳＤ６１における投稿用ＵＲＬから投稿用短縮ＵＲＬへの変換は、投稿用ＵＲＬを含むメッセージを短縮ＵＲＬ発行サーバ（不図示）に送信し、短縮ＵＲＬ発行サーバから同サーバが発行したＵＲＬを含むメッセージを受信し、このメッセージ内のＵＲＬを投稿用短縮ＵＲＬとしてＲＡＭ１３内における短縮前の投稿用ＵＲＬと対応付ける、という手順により行う。
【００５２】
サーバ装置ＳＶＤのＣＰＵ１２は、投稿画面のテンプレートの該当箇所に投稿用のＵＲＬ及び紹介文を埋め込んだものの画面データを生成し、この画面データを含むメッセージＭＳＳＤ６２を閲覧者Ｘ１の端末装置ＴＭＡに送信する（ＳＤ６２）。
【００５３】
より具体的に説明すると、このステップＳＤ６２では、ＣＰＵ１２は、データベースＤＢ１におけるキャンペーンサイトＣＳ−５０のレコードの「Ｔｗｉｔｔｅｒ投稿設定」が「１」である場合は、このレコードにおける「Ｔｗｉｔｔｅｒ紹介文」のフィールドの定型文ＴＸＴをＲＡＭ１３に読み出す。また、データベースＤＢ１におけるキャンペーンサイトＣＳ−５０のレコードの「Ｆａｃｅｂｏｏｋ投稿設定」が「１」である場合は、このレコードにおける「Ｆａｃｅｂｏｏｋ紹介文」のフィールドの定型文ＴＸＦをＲＡＭ１３に読み出す。
【００５４】
また、データベースＤＢ１におけるキャンペーンサイトＣＳ−５０のレコードの「Ｍｉｘｉ投稿設定」が「１」である場合は、このレコードにおける「Ｍｉｘｉ紹介文」のフィールドの定型文ＴＸＭをＲＡＭ１３に読み出す。また、データベースＤＢ１におけるキャンペーンサイトＣＳ−５０のレコードの「Ｍｉｘｉ投稿設定」が「１」である場合は、このレコードにおける「Ｍｉｘｉ紹介文」のフィールドの定型文ＴＸＭをＲＡＭ１３に読み出す。
【００５５】
そして、定型文ＴＸＴの後に投稿用短縮ＵＲＬを繋げた文字列、定型文ＴＸＦの後に投稿用短縮ＵＲＬを繋げた文字列、定型文ＴＸＭの後に投稿用短縮ＵＲＬを繋げた文字列、及び定型文ＴＸＢの後に投稿用ＵＲＬを繋げた文字列を投稿画面のテンプレートにおけるＳＮＳサイト毎の投稿欄に各々埋め込む。
【００５６】
閲覧者Ｘ１の端末装置ＴＭＡのＣＰＵ２２は、メッセージＭＳＳＤ６２を受信すると、投稿画面をディスプレイ２６に表示させる（ＳＡ２１）。図１４は、投稿画面を示す図である。図１４に示すように、投稿画面の最上段には、「お友達に紹介する」の文字が記されている。この文字の下には、「投稿したいソーシャルネットワーキング・サービスを選択してください。記載されている定型文が自動的に投稿されます。」の文字が記されている。この文字の下には、「ブログに投稿する場合には、「ブログの投稿方法」をご確認ください。」の文字が記されている。この文字の下には、矩形枠１６１−ｋ（ｋ＝１〜４）と矩形枠１６５が配置されている。
【００５７】
矩形枠１６１−１内の上段には、Ｆａｃｅｂｏｏｋのシンボルマークと「Ｆａｃｅｂｏｏｋ」の文字が記されている。この文字の下には、投稿欄１６２−１が配置されている。この投稿欄１６２−１には、定型文ＴＸＦ（図１４の例では、「いつもそばに、最高の音楽を！○○ヘッドフォン、▽▽スピーカをプレゼント！！キャンペーン情報を投稿すると、投稿回数、紹介人数に応じて、お客様の当選確率がアップします。」）及び投稿用短縮ＵＲＬ（図１４の例では、https://bit.ly/SPRZNw）が埋め込まれている。投稿欄１６２−１の下にはボタン１６３−１が配置されている。ボタン１６３−１内には「Ｆａｃｅｂｏｏｋに投稿する」の文字が記されている。
【００５８】
矩形枠１６１−２内の上段には、Ｔｗｉｔｔｅｒのシンボルマークと「Ｔｗｉｔｔｅｒ」の文字が記されている。この文字の下には、投稿欄１６２−２が配置されている。この投稿欄１６２−２には、定型文ＴＸＴ（図１４の例では、「いつもそばに、最高の音楽を！○○ヘッドフォン、▽▽スピーカをプレゼント！！キャンペーン情報を投稿すると、投稿回数、紹介人数に応じて、お客様の当選確率がアップします。」）及び投稿用短縮ＵＲＬ（図１４の例では、https://bit.ly/SPRZNw）が埋め込まれている。投稿欄１６２−２の下にはボタン１６３−２が配置されている。ボタン１６３−２内には「Ｔｗｉｔｔｅｒでつぶやく」の文字が記されている。
【００５９】
矩形枠１６１−３内の上段には、Ｍｉｘｉのシンボルマークと「ｍｉｘｉ」の文字が記されている。この文字の下には、投稿欄１６２−３が配置されている。この投稿欄１６２−３には、定型文ＴＸＭ（図１４の例では、「いつもそばに、最高の音楽を！○○ヘッドフォン、▽▽スピーカをプレゼント！！キャンペーン情報を投稿すると、投稿回数、紹介人数に応じて、お客様の当選確率がアップします。」）及び投稿用短縮ＵＲＬ（図１４の例では、https://bit.ly/SPRZNw）が埋め込まれている。投稿欄１６２−３の下にはボタン１６３−３が配置されている。ボタン１６３−３内には「ｍｉｘｉに投稿する」の文字が記されている。
【００６０】
矩形枠１６１−１、１６１−２、１６１−３の下には矩形枠１６１−４及び１６５がある。矩形枠１６１−４内の上段には「ブログ」の文字が記されている。この文字の下には投稿欄１６２−４が配置されている。投稿欄１６２−４には、定型文ＴＸＢ（図１４の例では、「いつもそばに、最高の音楽を！○○ヘッドフォン、▽▽スピーカをプレゼント！！キャンペーン情報を投稿すると、投稿回数、紹介人数に応じて、お客様の当選確率がアップします。」）及び投稿用ＵＲＬ（図１４の例では、https://sttool.jp/f/campaign/0000000050/01WaqO3u）が埋め込まれている。投稿欄１６２−４の下には、ＵＲＬ入力欄１６４−４が配置されている。ＵＲＬ入力欄１６４−４の右には、ボタン１６３−４が配置されている。ボタン１６３−４内には「登録する」の文字が記されている。
【００６１】
矩形枠１６５内の上段には、「ブログの投稿方法」の文字、「１．キャンペーン紹介文をブログに投稿  ※必ず左のリンクを記載してください。」の文字、「２．投稿したブログのＵＲＬをコピーして、左の入力欄に貼り付け、登録ボタンをクリックして下さい。」の文字、「３．「完了しました！」が表示されればＯＫ」の文字が上下に並べて記されている。
【００６２】
ここで、データベースＤＢ２におけるキャンペーンサイトＣＳ−５０のレコードの「Ｔｗｉｔｔｅｒ投稿設定」、「Ｆａｃｅｂｏｏｋ投稿設定」、「Ｍｉｘｉ投稿設定」、「ブログ投稿設定」の中に「０」のものがある場合、投稿画面における該当の矩形枠１６１−ｋ内の投稿欄１６２−ｋ及びボタン１６３−ｋが表示されなくなる。
【００６３】
この投稿画面において、閲覧者Ｘ１（新規会員）は、Ｔｗｉｔｔｅｒ、Ｆａｃｅｂｏｏｋ、及びＭｉｘｉをキャンペーンサイトＣＳ−５０の紹介文の投稿先とする場合は、該当のＳＮＳサイトの投稿欄１６２−１、１６２−２、１６２−３のボタン１６３−１、１６３−２、１６３−４を選択する操作を行う。また、閲覧者Ｘ１は、ブログをキャンペーンサイトＣＳ−５０の紹介文の投稿先とする場合は、ブログの投稿欄１６２−４の入力欄１６４−４内に自身のブログのＵＲＬを入力した上でボタン１６３−４を選択する操作を行う。
【００６４】
閲覧者Ｘ１の端末装置ＴＭＡのＣＰＵ２２は、投稿画面における何れかのＳＮＳサイトのボタン１６３−ｋが選択された場合（ＳＡ２２：Ｙｅｓ）、選択されたＳＮＳサイトの投稿欄１６２−ｋ内の文字（定型文と投稿用のＵＲＬ）の投稿を求めるメッセージＭＳＳＡ２３をサーバ装置ＳＶＤに送信する（ＳＡ２３）。サーバ装置ＳＶＤのＣＰＵ１２は、メッセージＭＳＳＡ２３を受信すると、このメッセージＭＳＳＡ２３を投稿先のＳＮＳサイトのＳＮＳ管理サーバＳＶＢに転送する（ＳＤ６３）。ＳＮＳ管理サーバＳＶＢは、サーバ装置ＳＶＤから転送されたメッセージＭＳＳＡ２３を受信すると、閲覧者Ｘ１（新規会員）のＳＮＳサイトのホーム画面の投稿欄に、投稿画面における該当の投稿欄１６２−ｋ内の文字（定型文と投稿用のＵＲＬ）の複製を閲覧者Ｘ１の投稿として埋め込む処理を行う。その後、ＳＮＳ管理サーバＳＶＢは、この投稿の成否を示すメッセージＭＳＳＢ８１をサーバ装置ＳＶＤに送信する（ＳＢ８１）。
【００６５】
サーバ装置ＳＶＤのＣＰＵ１２は、ＳＮＳサイトの管理サーバＳＶＢから投稿が成功したことを示すメッセージＭＳＳＢ８１を受信した場合（ＳＤ６４：Ｙｅｓ）、データベースＤＢ１の各レコードの中からキャンペーンサイトＣＳ−５０のレコードを検索し、検索したレコードの「ルール２」のフィールドが「１（適用あり）」になっているか否かを判定する（ＳＤ６５）。サーバ装置ＳＶＤのＣＰＵ１２は、「ルール２」のフィールドが「１（適用あり）」になっている場合（ＳＤ６５：Ｙｅｓ）、データベースＤＢ２の各レコードの中から閲覧者Ｘ１のレコードを検索し、検索したレコードにおける「口数」のフィールドの応募口数を１口増やす（ＳＤ６６）。サーバ装置ＳＶＤのＣＰＵ１２は、「ルール２」のフィールドが「０（適用なし）」になっている場合（ＳＤ６５：Ｎｏ）、ステップＳＤ６６を実行せずに次のステップＳＤ６７に進む。
【００６６】
ステップＳＤ６７では、サーバ装置ＳＶＤのＣＰＵ１２は、投稿完了画面の画面データを含むメッセージＭＳＳＤ６７を閲覧者Ｘ１の端末装置ＴＭＡに送信する。閲覧者Ｘ１の端末装置ＴＭＡのＣＰＵ２２は、メッセージＭＳＳＤ６７を受信すると、投稿完了画面をディスプレイ２６に表示させる（ＳＡ２４）。図１５は、投稿完了画面を示す図である。図１５に示すように、この投稿完了画面の最上段には、「投稿が完了いたしました。」の文字が記されている。この文字の下にはボタン１７１が配置されている。ボタン１７１内には「続けて投稿する」の文字が記されている。ボタン１７１の下にはボタン１７２が配置されている。ボタン１７２内には「ＴＯＰに戻る」の文字が記されている。
【００６７】
この投稿完了画面において、閲覧者Ｘ１は、自身の別のＳＮＳサイトを投稿先とする投稿を行う場合は、「続けて投稿する」のボタン１７１を選択する。閲覧者Ｘ１の端末装置ＴＭＡのＣＰＵ２２は、ボタン１７１が選択された場合（ＳＡ２５：Ｙｅｓ）、ステップＳＡ２０に戻り、メッセージＭＳＳＡ２０を再送信する。
【００６８】
サーバ装置ＳＶＤのＣＰＵ１２は、ＳＮＳサイトの管理サーバＳＶＢから投稿が失敗したことを示すメッセージＭＳＳＢ８１を受信した場合（ＳＤ６４：Ｎｏ）、投稿失敗画面の画面データを含むメッセージＭＳＳＤ６８を閲覧者Ｘ１の端末装置ＴＭＡに送信する（ＳＤ６８）。閲覧者Ｘ１の端末装置ＴＭＡのＣＰＵ２２は、メッセージＭＳＳＤ６８を受信すると、投稿失敗画面をディスプレイ２６に表示させる（ＳＡ２６）。図１６は、投稿失敗画面を示す図である。図１６に示すように、投稿失敗画面の最上段には、「投稿が失敗しました」の文字が記されている。この文字の下には、ボタン１８１が配置されている。ボタン１８１内には「再投稿する」の文字が記されている。
【００６９】
この投稿完了画面において、閲覧者Ｘ１は、投稿をもう一度試みる場合は、「再投稿する」のボタン１８１を選択する。閲覧者Ｘ１の端末装置ＴＭＡのＣＰＵ２２は、ボタン１８１が選択された場合（ＳＡ２７：Ｙｅｓ）、ステップＳＡ２０に戻り、メッセージＭＳＳＡ２０を再送信する。
【００７０】
ここで、ステップＳＤ６３のメッセージＭＳＳＤ６３の送信により、閲覧者Ｘ１のＳＮＳサイトへの投稿が成功した場合、投稿された紹介文及び投稿用短縮ＵＲＬ（ブログの場合は投稿用ＵＲＬ）が当該ＳＮＳサイトのホーム画面の書き込みとして公開される。図１７は、Ｔｗｉｔｔｅｒのホーム画面における紹介文ＴＸＴ及び投稿用短縮ＵＲＬの投稿直後の表示例を示す図である。図１８は、Ｆａｃｅｂｏｏｋのホーム画面における紹介文ＴＸＦ及び投稿用短縮ＵＲＬの投稿直後の表示例を示す図である。図１９は、Ｍｉｘｉのホーム画面における紹介文ＴＸＭ及び投稿用短縮ＵＲＬの投稿直後の表示例を示す図である。図２０は、ブログのホーム画面における紹介文ＴＸＢ及び投稿用ＵＲＬの投稿直後の表示例を示す図である。
【００７１】
図９において、閲覧者Ｘ１のＳＮＳサイトの閲覧者であって会員登録手続きを済ませていない者（閲覧者Ｘ２とする）が自身の端末装置ＴＭＡから閲覧者Ｘ１のＳＮＳサイトのＵＲＬを宛先とするメッセージＭＳＳＡ３１を送信すると（ＳＡ３１）、該当のＳＮＳサイトの管理サーバＳＶＢは、閲覧者Ｘ１のＳＮＳサイトのホーム画面（図１７、図１８、図１９、または図２０）の画面データを含むメッセージＭＳＳＢ８２を閲覧者Ｘ２の端末装置ＴＭＡに送信する（ＳＢ８２）。
【００７２】
閲覧者Ｘ２の端末装置ＴＭＡのＣＰＵ２２は、メッセージＭＳＳＢ８２を受信すると、閲覧者Ｘ１のＳＮＳサイトのホーム画面をディスプレイ２６に表示させる（ＳＡ３２）。閲覧者Ｘ２は、このホーム画面に投稿されている紹介文を読んでキャンペーンＣ−５０に関心を持った場合は、画面の投稿欄における投稿用短縮ＵＲＬ（ブログの場合は投稿用ＵＲＬ）を選択する操作を行う。
【００７３】
閲覧者Ｘ２の端末装置ＴＭＡのＣＰＵ２２は、投稿用短縮ＵＲＬ（ブログの場合は投稿用ＵＲＬ）が選択された場合（ＳＡ３３：Ｙｅｓ）、選択された投稿用短縮ＵＲＬ（ブログの場合は投稿用ＵＲＬ）を宛先とするメッセージＭＳＳＡ３４を送信する（ＳＡ３４）。ここで、メッセージＭＳＳＡ３４の宛先が投稿用短縮ＵＲＬである場合、メッセージＭＳＳＡ３４は、短縮ＵＲＬ発行サーバを経由し、投稿用ＵＲＬ（短縮前のＵＲＬ）を宛先とするメッセージＭＳＳＡ３４としてサーバ装置ＳＶＤに転送される。また、メッセージＭＳＳＡ３４の宛先が投稿用ＵＲＬである場合、メッセージＭＳＳＡ３４は、短縮ＵＲＬ発行サーバを経由せずにサーバ装置ＳＶＤに転送される。
【００７４】
サーバ装置ＳＶＤのＣＰＵ１２は、メッセージＭＳＳＡ３４を受信すると、このメッセージＭＳＳＡ３４をキャンペーンサイトＣＳ−５０のＷｅｂサーバＳＶＣに転送するとともに、閲覧者Ｘ２の端末装置ＴＭＡのＣｏｏｋｉｅ領域に紹介元の閲覧者Ｘ１のＩＤ２を書き込む処理を行う（ＳＤ６９）。
【００７５】
より具体的に説明すると、このステップＳＤ６９では、サーバ装置ＳＶＤのＣＰＵ１２は、データベースＤＢ１の各レコードの中からメッセージＭＳＳＡ３４の宛先のＵＲＬにおける自装置ＵＲＬに該当する部分と同じ文字列を「自装置ＵＲＬ」のフィールドの値とするレコード（キャンペーンサイトＣＳ−５０のレコード）を検索する。その上で、ＣＰＵ１２は、メッセージＭＳＳＡ３４の宛先をデータベースＤＢ１から検索したレコードの「誘導先ＵＲＬ」のフィールドのＵＲＬ（キャンペーンサイトＣＳ−５０のＵＲＬ）に書き換えたものをメッセージＭＳ’ＳＡ３４として送信する。
【００７６】
また、サーバ装置ＳＶＤのＣＰＵ１２は、データベースＤＢ２の各レコードの中からメッセージＭＳＳＡ３４の宛先のＵＲＬにおけるＩＤ１に該当する部分と同じ文字列を「第１ＩＤ」の値とするレコード（閲覧者Ｘ１のレコード）を検索する。その上で、ＣＰＵ１２は、データベースＤＢ２から検索したレコードの「第２ＩＤ」のフィールドのＩＤ２をＣｏｏｋｉｅ情報として含むメッセージＭＳＣＫを閲覧者Ｘ２の端末装置ＴＭＡに送信する。このメッセージＭＳＣＫ内のＩＤ２は、閲覧者Ｘ２の端末装置ＴＭＡにおけるＣｏｏｋｉｅ領域に書き込まれる。
【００７７】
ＷｅｂサーバＳＶＣは、サーバ装置ＳＶＤから転送されたメッセージＭＳ’ＳＡ３４を受信すると、キャンペーンサイトＣＳ−５０の画面データを含むメッセージＭＳＳＣ９１を閲覧者Ｘ２の端末装置ＴＭＡに送信する（ＳＣ９１）。閲覧者Ｘ２の端末装置ＴＭＡのＣＰＵ２２は、メッセージＭＳＳＣ９１を受信すると、キャンペーンサイトＣＳ−５０をディスプレイ２６に表示する（ＳＡ３５）。
【００７８】
図２の表示例に示したように、キャンペーンサイトＣＳ−５０の一角には、同サイトＣＳ−５０をＳＮＳサイトの投稿により紹介すると抽選で賞品が当たること及びこの特典を得るためには会員登録手続きが必要であることを案内する文字と、サーバ装置ＳＶＤ内における会員登録画面の画面データのＵＲＬをハイパーリンク先とするバナーＢＮとが表示される。閲覧者Ｘ２は、キャンペーンサイトＣＳ−５０内の案内を読んで会員登録に関心を持った場合は、キャンペーンサイトＣＳ−５０内のバナーＢＮを選択する操作を行う。この操作が行われた場合（ＳＡ３６：Ｙｅｓ）、閲覧者Ｘ２の端末装置ＴＭＡのＣＰＵ２２は、ステップＳＡ０１におけるメッセージＭＳＳＡ１１の送信処理を行う。これ以降、閲覧者Ｘ２の端末装置ＴＭＡとサーバ装置ＳＶＤとの間で、閲覧者Ｘ１の端末装置ＴＭＡとサーバ装置ＳＶＤとの間のものと同様の処理が繰り返される。
【００７９】
以上が、本実施形態の構成の詳細である。本実施形態では、サーバ装置ＳＶＤは、キャンペーンＣ−ｍのキャンペーンサイトＣＳ−ｍの閲覧者であって会員登録手続きを済ませていない者の端末装置ＴＭＡから会員登録手続きの開始を求めるメッセージＭＳＳＡ１１を受信する度に、ステップＳＤ５１〜ＳＤ６９の一連の処理を繰り返す。キャンペーンＣ−ｍの開催期間中にサーバ装置ＳＶＤがこの一連の処理を繰り返すことにより、会員Ｙ−ｎのＳＮＳサイトの紹介文を見てキャンペーンサイトＣＳ−ｍを訪問した者が新規会員Ｙ−ｎとなり、この会員Ｙ−ｎのＳＮＳサイトの紹介文を見てキャンペーンサイトＣＳ−ｍを訪問した者が新規会員Ｙ−ｎとなり…というようにしてキャンペーンサイトＣＳ−ｍの紹介役を担う者の数が増えていく。よって、本実施形態によると、キャンペーンサイトＣＳ−ｍの多数人に効率よく知らせることができる。従って、本実施形態によると、企業の販促キャンペーンＣ−ｍの販促効果を高めることができる。
【００８０】
また、本実施形態では、サーバ装置ＳＶＤは、自装置ＳＶＤ内のリソースのＵＲＬの末尾に会員のＩＤ１を付加したＵＲＬをキャンペーンサイトＣＳ−ｍの投稿用ＵＲＬまたは投稿用短縮ＵＲＬとして会員Ｙ−ｎのＳＮＳサイトに投稿させ、会員Ｙ−ｎのＳＮＳサイトの投稿を参照した閲覧者の端末装置ＴＭＡをサーバ装置ＳＶＤを経由してキャンペーンサイトＣＳ−ｍに誘導し、各閲覧者の端末装置ＴＭＡがキャンペーンサイトＣＳ−ｍを訪問した後に、キャンペーンサイトＣＳ−ｍの紹介元の会員Ｙ−ｎをトラッキングし、このトラッキング結果に応じて会員Ｙ−ｍの抽選の応募口数を増やす。よって、本発明によると、会員Ｙ−ｎ（ｎ＝１〜Ｎ）に各々のＳＮＳサイトの投稿を通じてキャンペーンサイトＣＳ−ｍを紹介するインセンティブが与えられる。従って、本実施形態によると、顧客企業の販促キャンペーンＣ−ｍの販促効果をより一層高めることができる。
【００８１】
以上、本発明の一実施形態について説明したが、かかる実施形態に以下の変形を加えてもよい。
（１）上記実施形態では、自装置ＵＲＬの末尾にＩＤ１を付加したものを投稿用ＵＲＬとし、この投稿用ＵＲＬを短縮したものを投稿用短縮ＵＲＬとし、投稿用短縮ＵＲＬを投稿画面におけるＦａｃｅｂｏｏｋ、Ｔｗｉｔｔｅｒ、Ｍｉｘｉの投稿欄１６２−１、１６２−２、１６２−３に埋め込み、投稿用ＵＲＬを投稿画面におけるブログの投稿欄１６２−４に埋め込んだ。しかし、ＵＲＬの短縮を行わずに、自装置ＵＲＬの末尾にＩＤ１をつなげたもの自体を投稿欄１６２−１、１６２−２、１６２−３に埋め込んでもよい。
（２）上記実施形態における投稿画面では、Ｔｗｉｔｔｅｒ、Ｆａｃｅｂｏｏｋ、Ｍｉｘｉ、ブログの４種類のＳＮＳサイトへの投稿ができるようになっていた。しかし、投稿先のＳＮＳサイトの数を１種類〜３種類にしてもよいし、５種類以上にしてもよい。
【符号の説明】
【００８２】
１１，２１，３１…通信インターフェース、１２，２２，３２…ＣＰＵ、１３，２３，３３…ＲＡＭ、１４，２４，３４…ＲＯＭ、１５，２５，３５…キーボード、１６，２６，３６…ハードディスク、１７，２７，３７…ディスプレイ、１８，２８，３８…マウス。
【図２】
2014142835.tif 000003
【図１０】
2014142835.tif 000004
【図１１】
2014142835.tif 000005
【図１２】
2014142835.tif 000006
【図１５】
2014142835.tif 000007
【図１６】
2014142835.tif 000008
【図１】
2014142835.tif 000009
【図３】
2014142835.tif 000010
【図４】
2014142835.tif 000011
【図５】
2014142835.tif 000012
【図６】
2014142835.tif 000013
【図７】
2014142835.tif 000014
【図８】
2014142835.tif 000015
【図９】
2014142835.tif 000016
【図１３】
2014142835.tif 000017
【図１４】
2014142835.tif 000018
【図１７】
2014142835.tif 000019
【図１８】
2014142835.tif 000020
【図１９】
2014142835.tif 000021
【図２０】
2014142835.tif 000022